Podtech/llm-jp-corpus-v4-ja_patent huggingface dataset:
(57)【要約】治療目的で動脈チャンネルへ圧力を適用するための人手の小指用の指輪（２０）。圧力は指輪の内表面から延びる突起（２１）を介して指のチャンネルへ加えられる。中でも睡眠中にこの指輪を着用することの利益はいびき問題を減らすことがわかった。
2004525653.tif 000002
【特許請求の範囲】
【請求項１】
指輪バンドと、指輪バンドの内表面から延びている複数の突起を備え、該突起は外指の動脈へ連続的な圧力を適用するのに適応していることを特徴とする外指に着用するのに適応した治療用指輪。
【請求項２】
指輪バンドの内表面から延びている二つの間隔を置いた突起を有する請求項１の治療用指輪。
【請求項３】
指輪バンドは不連続である請求項１の治療用指輪。
【請求項４】
突起はドーム形である請求項１の治療用指輪。
【請求項５】
指輪バンドは金属製である請求項１の治療用指輪。
【請求項６】
指輪バンドはプラスチック材料の型成形または他の方法で形成される請求項１の治療用指輪。
【請求項７】
二つの突起が備えられ、そして突起間の間隔は動脈の反対側に圧力の適用をもたらす請求項１の治療用指輪。
【発明の詳細な説明】
【０００１】
【技術分野】
本発明は治療用の指輪に関する。
【０００２】
【背景技術】
指の血液循環を改善するといわれる指輪および鍼治療を実行または真似する指輪は公知である。
【０００３】
米国特許第５７９２１７５号は、複数の突起が内表面に形成された平行なプレート間に蛇行接続部分を有する指輪を記載し、この指輪は該突起によって指の選定した部分にランダムに鍼圧を加えることによって血液循環を促進するといわれる。
【０００４】
米国特許第４１２２８５２号は指の選定した部分にランダムに鍼圧を加えるための内側突起を有する指輪の他の例である。
【０００５】
人体は主チャンネルから派生する副枝により種々の器官へ連結された多数の動脈チャンネルを持っている。
【０００６】
そのようなチャンネルの一つが腕を通って心臓、小腸、眼、耳のような器官へ延びそして連通しており、そして副枝を通って洞区域へ延びている。
【０００７】
外指のチャンネルへ圧力の適用は体の種々の器官および区域に治療効果を持つことが知られている。
【０００８】
これらチャンネルおよび副枝を利用する普通の治療的処置は共通して鍼およびマッサージ技術を使用して施される。
【０００９】
外指の動脈チャンネルへ連続的な圧力を適用するように設計された処置または物体は提案されていない。
【００１０】
従って本発明の一目的は外指に連続ベースで圧力を適用するように適応した治療用指輪を提供することである。
【００１１】
本発明のさらなる目的および利益は例示として与えられた以下の説明から明らかになるであろう。
【００１２】
【本発明の開示】
本発明によれば、外指に着用するのに適応した治療用指輪が提供される。
【００１３】
この指輪は、指輪バンドと、指輪バンドの内表面から延びている複数の突起を備え、該突起は外指の動脈へ連続的な圧力を適用するのに適応している。
【００１４】
指輪は指輪バンドの内表面から延びる二つの間隔を置いた突起を持つことができる。
【００１５】
指輪バンドは不連続であることができる。
【００１６】
突起はドーム形であることができる。
【００１７】
指輪バンドは金属製であることができる。
【００１８】
指輪バンドはプラスチック材料で型成形または他の様に形成することができる。
【００１９】
二つの突起を備えることができ、突起間の間隔は動脈チャンネルの反対側に圧力を適用することをもたらす。
【００２０】
本発明の実施態様が添付図面を参照して今や記載される。
【００２１】
図１を参照すると、人体内で主動脈チャンネルの一つが手の外指から腕の背部を上方へ首区域へ延び、そして人の首、洞、眼および耳へ枝分かれしている。このチャンネルおよび副枝の１から１８までの番号をつけたどこかの点への圧力の適用は変動する有益効果を持つであろう。
【００２２】
本発明は、人の外指に着用することができ、点１と２の間のチャンネルへ圧力を適用する一般に矢印２０で指定した治療用指輪を提供する。
【００２３】
図２ないし２ｂによって図示した本発明の一つの可能な具体例に従った指輪は、矢印２０で指示した指輪バンドと、バンドの内側表面から延びる二つの突起２１を備える。
【００２４】
指輪バンド２０は不連続であることができ、二つの間を空けた自由端を持つことができる。
【００２５】
突起は図示したようにドーム形であることができるが、しかし細長い条片または十字形突起のような他の形も可能である。
【００２６】
指輪は多数の材料でつくることができるが、しかし好ましくは個々の着用者のために間隔の固定調節を許容する金属でつくられる。
【００２７】
指輪バンド２０は規則的な半円形であることができ、または突起２１がそこから延びる指輪バンドの一部分２３は僅かに平坦とすることができ、そのため突起は着用者の指の動脈チャンネル区域にしっかり当たる。
【００２８】
指輪バンドは実質上長四角形断面を有する。
【００２９】
指輪の好ましい構造を記載したが、他の代替形も等しく有効である。
【００３０】
指輪バンドは弾力性プラスチック材料で型成形することができ、または調節自在な緊張具を備えたチューブもしくはパイプ帯に似た形でもよい。
【００３１】
本発明の具体例を例示として記載したが、特許請求の範囲に規定したその範囲を逸脱することなくその修飾および付加をなし得ることが認められるであろう。
【図面の簡単な説明】
【図１】人体中の動脈チャンネルおよび副枝の位置を示す図。
【図２】本発明に従った治療用指輪の平面図。
【図２ａ】該指輪の側面図。
【図２ｂ】該指輪の断面図。
【国際公開パンフレット】
2004525653.tif 000003
2004525653.tif 000004
2004525653.tif 000005
2004525653.tif 000006
2004525653.tif 000007
2004525653.tif 000008
【国際調査報告】
2004525653.tif 000009
2004525653.tif 000010
(57)【要約】本発明は、数個のリアルスピーカ及び少なくとも１つのバーチャルスピーカ（２、３、４、５、６、９、及び１０）を介してマルチチャネルオーディオ音声を再生する方法に係る。本発明では、リアルスピーカ（２、３、４、５、及び６）用のオーディオ音声は、一部が、リアルスピーカ（２、３、４、５、及び６）を介して再生され、一部が、同じ場所に位置付けられるバーチャルスピーカ（９及び１０）を介して再生される。
2004525571.tif 000002
【特許請求の範囲】
【請求項１】
数個のリアルスピーカと、少なくとも１つのバーチャルスピーカを介してマルチチャネルオーディオ音声を再生する方法であって、
リアルスピーカ用の上記オーディオ音声は、一部が、上記リアルスピーカを介して再生され、一部が、同じ場所に位置付けられるバーチャルスピーカを介して再生されることを特徴とする方法。
【請求項２】
数個のスピーカを有する、マルチチャネルオーディオ音声を再生する音楽システムであって、
リアルスピーカに供給される上記オーディオ音声は、一部が、上記リアルスピーカを介して再生され、一部が、同じ場所に位置付けられるバーチャルスピーカを介して再生されるシステム。
【発明の詳細な説明】
【０００１】
本発明は、数個のリアルスピーカと少なくとも１つのバーチャルスピーカを介してマルチチャネルオーディオ音声を再生する方法に係る。
【０００２】
米国特許第５，７４２，６８７号は、ステレオ信号の処理方法を開示するが、この方法では、フィルタリングされた左ステレオ信号が、ステレオシステムの左スピーカに供給され、フィルタリングされた右ステレオ信号が、ステレオシステムの右スピーカに供給される。位相差は、ステレオイメージの拡張をもたらす。音波は、マルチチャネルスピーカ配置を有する室内で座っているリスナーの両耳に到達する。このようなマルチチャネル音声再生システムは、比較的小さい良好音声スポットを有する。良好音声スポットは、リスナーが、最適音場を知覚する領域である。知覚可能な音場は、リスナーが、良好音場から移動すると劣化する。知覚可能な音場は、複数のリスナーがいる場合にも、又は、マルチチャネルスピーカシステムが最適に位置付けられていない場合にも劣化する。リスナーが、サラウンドサウンドスピーカの１つに近すぎる場合に、特に、問題が発生する。この場合、このスピーカは属音となり、リスナーに不快を感じさせてしまう。
【０００３】
本発明は、リスナーが不快に感じることを回避することを目的とする。特に、良好な音場を拡大する。
【０００４】
この目的は、請求項１の特徴により達成される。本発明によると、リアルスピーカ用のオーディオ音声は、一部が、リアルスピーカにより再生され、一部が、同じ場所に置かれるバーチャルスピーカにより再生される。リアルスピーカの場所に配置されるバーチャルスピーカは、オーディオ信号のフィルタリングによってシミュレートされ、これは、シミュレートされたスピーカ以外のスピーカを用いることにより実現される。リスナーが、スピーカに近づくと、リアルスピーカの寄与が増加する。しかし、このスピーカの信号の一部は、他のスピーカの動作によって、同じ場所に置かれるバーチャルスピーカにより再生される。リスナーは、個々のリアルスピーカに近づくに従い、他のスピーカから離れ、バーチャルスピーカはフェードアウトする。このようにして、組合わされたリアルスピーカとバーチャルスピーカの知覚音声強度は、略一定に保たれる。
【０００５】
この処理は、マルチチャネルシステムを有する全てのオーディオ製品に適用し得る。オーディオ製品の例としては、サラウンドサウンドを有するテレビジョン、及び、ホームシネマが挙げられる。
【０００６】
本発明をより理解するために、添付図面を参照しながら、実施例を詳細に説明する。
【０００７】
図１は、左前方スピーカ２、右前方スピーカ３、中央スピーカ４、左後方室スピーカ５、及び、右後方室スピーカ６を有する音楽システム１を示す。後方室スピーカ５、６は、サラウンドサウンドを生成する。これらのスピーカ２乃至６は、スピーカ配置を形成し、その中心には、良好な音声空間７が形成される。これは、音声再生が起きる音声スポットとしても知られる。スピーカ２乃至６からなるスピーカ配置は、図示しないディープバススピーカも含む。ディープバススピーカは、２００Ｈｚまでの音声を再生し、この音声は、局所化することができない。リスナー８が、音声スポット７内にいる。以下に音声本体又は音声源と称するバーチャルスピーカ９、１０も、後方室スピーカ５、６の場所に配置される。リスナー８が、良好な音声スポット７から、音声本体５、９に向かって方向１１に移動すると、リスナーは、スピーカ３、６から離れ、スピーカ５に近づくことになる。バーチャルスピーカ９の音声強度は低下して、リアルスピーカ５の音声強度が上がる。
【図面の簡単な説明】
【０００８】
【図１】音楽システムと、リアルスピーカ及びバーチャルスピーカを有するスピーカ配置を示す図である。
【国際公開パンフレット】
2004525571.tif 000003
2004525571.tif 000004
2004525571.tif 000005
2004525571.tif 000006
2004525571.tif 000007
2004525571.tif 000008
【国際公開パンフレット（コレクトバージョン）】
2004525571.tif 000009
【国際調査報告】
2004525571.tif 000010
2004525571.tif 000011
(57)【要約】本発明のスーツケースは、荷室（２）、複数の車輪（７）、少なくとも一つの車輪を駆動するための手段（８，１１，１２）、送信された信号を受信するためのセンサ（２０）、その送信された信号の発信源に向かってスーツケースを誘導するための手段（１０）、更にセンサが受信可能な信号を送信し、持ち主が携帯することで別体となっている送信機（２１）を備える。それにより、スーツケースは持ち主の後を追従する。
2004520912.tif 000002
【特許請求の範囲】
【請求項１】
荷室（２）と、複数の車輪（７）と、少なくとも一つの車輪を駆動させる手段（８、１１、１２）と、送信された信号を受信するセンサ（２０）と、その送信された信号の発信源に向かってスーツケースを誘導するための手段（１０）と、該センサで受信される信号を送信するための別体の送信機（２１）を備えることを特徴とする自力走行式スーツケース。
【請求項２】
送信機は赤外線方式の送信機であることを特徴とする請求項１に記載されたスーツケース。
【請求項３】
送信機は無線周波数信号方式の送信機であることを特徴とする請求項１に記載されたスーツケース。
【請求項４】
送信機は超音波信号方式の送信機であることを特徴とする請求項１に記載されたスーツケース。
【請求項５】
送信機は暗号化された信号を送信し、センサは復号手段を備えることを特徴とする請求項２から４の何れか１項に記載されたスーツケース。
【請求項６】
送信機はクロック信号を送信することを特徴とする請求項１から５の何れか１項に記載されたスーツケース。
【請求項７】
少なくとも一つの車輪を駆動する前記手段（モータ８、フリクションローラ１１、モータ駆動軸１２）が、スーツケースの両側の車輪を差分駆動する手段を備えることによってスーツケースを操舵することを特徴とする請求項１から６の何れか１項に記載されたスーツケース。
【発明の詳細な説明】
【技術分野】
【０００１】
本発明は遠隔制御により自力走行するスーツケースに関する。
【背景技術】
【０００２】
スーツケースの問題点は、スーツケースを引いて長い距離を移動することの煩わしさにある。これまでにもスーツケースを自走式にする試みが行われてきたが、継続的な手動操作を必要としない実用性の高いものは提供されていなかった。
【発明の開示】
【発明が解決しようとする課題】
【０００３】
本発明の課題は、上記の問題点を軽減する事にある。
【課題を解決するための手段】
【０００４】
本発明の自力走行式スーツケースは、
（１）  荷室、
（２）  複数の車輪、
（３）  少なくとも一つの車輪を駆動するための手段、
（４）  送信された信号を受信するセンサ、
（５）  送信された信号の発信源に向かってスーツケースを誘導するための手段、
（６）  センサによって受信される信号を送信するための別体の送信機、
を備える。
【０００５】
本発明の実施形態の説明を図面を参照しながら行うが、本発明はその実施形態に限定されるものではない。
【０００６】
図１において、スーツケース１は荷物を収納するための荷室２を備え、その荷室２は隔壁３によって仕切られている。この実施形態においては、従来のスーツケースと同様に錠前機構である留め具４を備える。さらに、スーツケース１はハンドル５と牽引ストラップ６と、複数の車輪７を備える。この実施形態においては、３つの車輪が三角形状の配列で配置されている。しかしながら、車輪の数は３つに限定されるものではなく、例えば４つの車輪を装着しても良い。その内のいくつかはキャスターにしても良い。
【０００７】
上記に説明したスーツケースは従来のものである。しかしながら、本発明によるスーツケースは自力で移動することが出来る、すなわち自力走行する。
【０００８】
この自力走行の方法は、一つもしくはそれ以上の車輪を駆動するために、バッテリ９を電源とする電動モータ８から構成される駆動機構を備えることにより行われる。この実施形態では、電動モータ８を制御するためのコントローラ１０が備えられており、これによりモータの回転と停止、また状況によっては電動モータ８の回転速度を制御する。この実施形態では、モータ駆動軸１２に取り付けられたフリクションローラ１１が車輪と係合することで駆動力を車輪に伝達する。この方法の他に、例えばメッシュギアやチェーン駆動によるものを採用することも可能である。好ましくは、一つ以上の車輪に駆動力を与えて、スーツケースの両側の車輪に回転差を設けることによりスーツケースの舵を取るのが望ましい。その他の方法としては車輪のいずれかを操舵輪にしてもよい。
【０００９】
本発明のスーツケースは、別体となっている送信機２１から送信された信号を受信するためのセンサ２０を備える。センサ２０はモータを制御するコントローラ１０に接続されている。送信機２１はセンサが受信反応する信号を送信する。例えば、送信機２１は赤外線信号や、電波信号、もしくは超音波信号を送信するものでも良い。その送信機は暗号化もしくはクロック信号を送信し、センサにはそれに見合った復号手段を備えるのが望ましい。これによりセンサは、このスーツケースと送信機以外の様々な送受信機が混在する、例えば空港などの状況下においてでも、似かよった信号を送信する送信機からの信号の誤受信を防ぐことが出来る。
【００１０】
コントローラ１０には送信機から送信された信号の受信感度を随時最大に保持するようにスーツケースを移動させる手段を含む。この手段の実施方法はスーツケースを送信機に出来るだけ接近させておく方法をもって行う。この手段を備えることにより、このスーツケースの持ち主がこの送信機を、例えば、自身のポケットや財布に入れて持ち歩いた場合、そのスーツケースは持ち主が常時手動操作を行わずして持ち主を追従する。
【００１１】
本発明で明らかなのは、一人のユーザが複数のスーツケースを直接持ち運ぶことなく移動させることが出来る。
【００１２】
尚、本発明は前述で詳細に説明した実施例に限定されるものではない。
【図面の簡単な説明】
【００１３】
【図１】図１は本発明のスーツケース全体の斜視図である。
【図２】図２は本発明のスーツケース全体の概略的断面図である。
【符号の説明】
【００１４】
１    スーツケース        ２    荷室
３    隔壁            ４    留め具
５    ハンドル        ６    牽引ストラップ
７    車輪            ８    電動モータ
９    バッテリ        １０  コントローラ
１１  フリクションローラ                  １２  駆動軸
２０  センサ          ２１  送信機
【国際公開パンフレット】
2004520912.tif 000003
2004520912.tif 000004
2004520912.tif 000005
2004520912.tif 000006
2004520912.tif 000007
2004520912.tif 000008
【国際調査報告】
2004520912.tif 000009
2004520912.tif 000010
2004520912.tif 000011
(57)【要約】【解決手段】少なくとも１つのロールスタンド内で冷間圧延される圧延用帯鋼の形状を調整するための方法に関する。その際、圧延用帯鋼は、このロールスタンドまたは第１ロールスタンドに通される前に、両側の帯鋼エッジ領域が強く冷却される。【選択図】図１
2004520169.tif 000002
【特許請求の範囲】
【請求項１】
少なくとも１つのロールスタンド内で冷間圧延される圧延用帯鋼の形状を調整するための方法において、圧延用帯鋼をこのロールスタンドまたは第１ロールスタンドに通す前に、圧延用帯鋼の両側の帯鋼エッジ領域が強く冷却されることを特徴とする方法。
【請求項２】
帯鋼エッジ領域に液体窒素を吹付けることによって冷却が行われることを特徴とする請求項１に記載の方法。
【請求項３】
帯鋼の両側に配置されるＵ形囲いに帯鋼エッジ領域が通され、この囲いの内部で帯鋼エッジ領域に冷却材が吹付けられることを特徴とする請求項１または２のいずれか１項に記載の方法。
【発明の詳細な説明】
【技術分野】
【０００１】
本発明は、少なくとも１つのロールスタンド内で冷間圧延される圧延用帯鋼の形状を調整するための方法に関する。
【背景技術】
【０００２】
帯鋼の冷間圧延時には、帯鋼の中央領域に比べて、帯鋼のエッジ領域に異なる負荷が現れる。これらの負荷は、帯鋼の幅にわたって帯鋼の厚さの恒常性に不利に影響することになる。帯鋼の中央よりも厚いエッジ形状（エッジプロフィル）が形成される原因としては、ロールの幅にわたって発生する熱的反りと帯鋼のエッジ領域における強いロール摩耗の他に、主に帯鋼の幅方向における材料横流れが生じることによってエッジ領域では大きな厚さの低下が引き起こされることによる。材料流れが生じることによって、帯鋼中央よりも薄い帯鋼エッジ形状が生じることは、エッジドロップと称されている。
【０００３】
このエッジドロップを最少にすることの可能性は、例えば、特許文献１によれば、帯鋼のエッジ領域でロールバレル（ロールミル）を強力に冷却することにより得ることができる。これにより、ロール直径が帯鋼のエッジ領域で多少縮小され、相応にこれらの領域でロール間隙が拡大されることになる。材料横流れ挙動によって引き起こされるエッジドロップには、こうして対処することができる。
【０００４】
相応するロール間隙の拡大は、帯鋼のエッジ領域において、ロールのバレル端部を旋削することによっても達成することができる。
【０００５】
最後に、帯鋼のエッジ方向に作業ロールをシフトさせることによってエッジドロップの発生に影響を及ぼすことも公知である。
【０００６】
エッジドロップの発生に対処しないと、圧延された帯鋼は、幅全体にわたって所要の帯鋼厚公差を達成することができず、このままでは利用できない。その場合、他の加工、例えば、エッジのトリミングによる加工が不可欠となる。
【特許文献１】欧州特許出願公開第０７７６７１０Ａ１
【発明の開示】
【発明が解決しようとする課題】
【０００７】
本発明の課題は、エッジドロップの発生を最少にできる方法を提供することである。
【課題を解決するための手段】
【０００８】
この課題は、本発明によれば、ロールスタンド、または第１ロールスタンドに通す（走り込む）前に、圧延用帯鋼の両側の帯鋼エッジ領域が強く冷却されることによって解決される。
【０００９】
この冷却は、例えば帯鋼エッジ領域に液体窒素を吹付けることによって行うことができる。通常の高い圧延速度を考慮して冷却を極力迅速に達成するために、帯鋼の両側に配置されるＵ形囲いに帯鋼エッジ領域が通され、この囲いの内部で帯鋼エッジ領域に冷却材が吹付けられることが望ましい。
【００１０】
本発明に係る方法では、未圧延帯鋼の帯鋼エッジは、このロールスタンド、または第１ロールスタンドに通す前に低い温度にされるようになっている。その結果、帯鋼エッジ領域で圧延材が硬くなり、圧延材は変形困難となる。さらに、この低い温度において圧延材は多少収縮し、つまり薄くなる。しかし、帯鋼エッジのこの低い温度は、これに接触するロールバレル端部にも作用している。というのも、ロールはこの領域での強力な冷却によって直径を低減されるからである。こうして全体として影響の加算が生じ、これらの影響は、帯鋼エッジ領域で帯鋼が帯鋼中央領域に比べて少ない程度に圧延されることになり、その結果、エッジドロップの発生が本質的に減少することになる。
【００１１】
本発明に係る解決策としては、例えば、作業ロールシフト用に必要であるようなロールスタンドの手間のかかる造形を必要としないので、公知方法に比べて特別有利である。他方、前記影響によってロールの寿命が長くなり、最後に帯鋼エッジ領域の冷却装置はロールスタンドの全体構造に介入することなく、問題なく追加装備することができる。
【００１２】
このロールスタンドの前、または複数のスタンドが連続する場合、第１ロールスタンドの前で、圧延されるべき帯鋼の両側に冷却ボックスが配置されており、冷却ボックスは、帯鋼が通過するときに両側の帯鋼エッジ領域で帯鋼を低い温度にするようになっている。強力に冷却されたこの帯鋼エッジを有する帯鋼は、次にロールスタンドに通され、そこで通常の如く圧延され、前記影響によってエッジドロップの発生は阻止され、または、少なくとも本質的に低減されることになる。
【図面の簡単な説明】
【００１３】
【図１】冷間圧延帯鋼のエッジ領域の冷却を示す図である。
【図１】
2004520169.tif 000003
【国際公開パンフレット】
2004520169.tif 000004
2004520169.tif 000005
2004520169.tif 000006
2004520169.tif 000007
2004520169.tif 000008
2004520169.tif 000009
2004520169.tif 000010
【手続補正書】
【提出日】平成15年7月31日(2003.7.31)
【手続補正１】
【補正対象書類名】特許請求の範囲
【補正対象項目名】全文
【補正方法】変更
【補正の内容】
【特許請求の範囲】
【請求項１】
少なくとも１つのロールスタンド内で圧延される圧延用帯鋼の形状を調整するための方法において、圧延用帯鋼をロールスタンドまたは第１ロールスタンドに通す前に、圧延用帯鋼の両側の帯鋼エッジ領域を、帯鋼の両側に配置されるＵ形囲いに通し、この囲いの内部で帯鋼エッジ領域が液体窒素の吹付けによって強く冷却されることを特徴とする方法。
【国際調査報告】
2004520169.tif 000011
2004520169.tif 000012
2004520169.tif 000013
2004520169.tif 000014
2004520169.tif 000015
2004520169.tif 000016
(57)【要約】【課題】屈折率の増加により厚さを減少させて、光学ビーム経路の方向における小さな幾何学的寸法で製造することができる光学部品、特に眼内移植片を提供する。【解決手段】部品の材料のものよりも高い屈折率を有し、部品材料中における実質的に光拡散を生じない粒径の透明フィラーを少なくとも１種類を添加することにより、光学部品、特に透明材料の眼内移植片を製造する。【特許請求の範囲】
【請求項１】
透明部品材料からなり、
上記部品材料に、周囲の部品材料のものよりも高い屈折率を有し、部品材料中における実質的な光拡散が生じない粒径の透明フィラーを少なくとも１種類含有させることを特徴とする光学部品。
【請求項２】
前記フィラーは、難溶性酸化物であることを特徴とする請求項１に記載の光学部品。
【請求項３】
前記フィラーは、ケイ酸塩、ゲルマン酸塩、アルミン酸塩又はチタン酸塩であることを特徴とする請求項１又は２に記載の光学部品。
【請求項４】
前記フィラーは、重金属化合物の結晶形態であることを特徴とする請求項１〜３のいずれかに記載の光学部品。
【請求項５】
前記光学部品は、医療用製品であることを特徴とする請求項１〜４のいずれかに記載の光学部品。
【請求項６】
前記部品材料は、異なる屈折率の領域を形成するために、フィラー含有量を異ならせた領域を有することを特徴とする請求項１〜５のいずれかに記載の光学部品。
【請求項７】
前記光学部品は、二焦点又は多焦点レンズであることを特徴とする請求項６に記載の光学部品。
【請求項８】
前記フィラーは、ルチル（ＴｉＯ２）であることを特徴とする請求項１〜７のいずれかに記載の光学部品。
【請求項９】
前記フィラーは、高電荷カチオンを有することを特徴とする請求項１に記載の光学部品。
【請求項１０】
前記部品材料は、アクリレート又はシリコンゴムであることを特徴とする請求項１〜９のいずれかに記載の光学部品。
【発明の詳細な説明】
【技術分野】
【０００１】
本発明は、透明材料からなる光学部品、特に眼内移植片、例えば眼内レンズに関するものである。
【背景技術】
【０００２】
特に、眼内レンズのような眼内移植片として用いられる光学部品の場合、移植過程で要求される切断が小さくなるような試みにより、小さな幾何学的寸法が達成される。移植片が目の光学システムにおける眼内レンズとして用いられる場合、この目的のため、部品の材料の屈折率を、例えば材料の高電子密度により、可能な限り高くする必要がある。また、移植片材料は、生化学的に適合可能でなければならない。この目的に適した材料としては、ＨＥＭＡやシリコーン類のような、様々なポリマー、ポリメチルメタアクリレート及びヒドロゲルが知られている。
【０００３】
しかしながら、現在利用可能な収容可能な眼内移植片、特に眼内レンズでは、中央の厚さにより、移植過程において、約３ｍｍの切断が必要である。
【発明の開示】
【０００４】
したがって、本発明の目的は、屈折率の増加により厚さを減少させて、言い換えると、光学ビーム経路の方向における小さな幾何学的寸法で製造することができる光学部品、特に眼内移植片を提供することである。
【０００５】
本発明によれば、部品の周囲の材料のものよりも実質的に高い屈折率を有し、部品材料中において実質的に光拡散を引き起こさない粒径を有する透明フィラーを、光学部品、特に眼内移植片の透明材料に添加することにより、この目的が達成される。
【０００６】
光学的に澄んだ又は透明なフィラーは、屈折率の増加をもたらす高電子密度を有している。この高電子密度は、高電荷カチオンを有する難溶性の酸化物、例えば重金属、特に鉛及びビスマスの化合物によって、達成することができる。これらの化合物は、結晶体、特にナノレベルの結晶に堆積された形態、例えばケイ酸塩、ゲルマン酸塩、アルミン酸塩又はチタン酸塩で存在する。これらの重金属は、結晶マトリクス中に固定的に一体化され、目の生化学的溶媒中に溶出しない。したがって、微細に分裂した粒子形態、特にナノレベルの粒子形態で分布された上記のフィラーは、透明部品材料又は移植片材料の生化学的適合性に悪影響を及ぼさない。
【０００７】
好適に用いられるフィラーは、ルチル（ＴｉＯ２）である。このフィラーは、人体に適合可能であり、生化学的適合可能である。これは、不活性であり、難溶性であり、熱的に安定であり、したがって、感熱滅菌可能である。また、比較的大量に安価で入手可能である。このフィラーは、ナノレベルの結晶形態に堆積することができ、したがって、部品の材料中において実質的に光拡散を引き起こさない粒径で製産することができる。また、ルチルは、比較的高い屈折率を有している（Ｎａ光においてｎｍｅａｎ＝２．７、ｎｏ＝２．６１６、ｎｅ＝２．９０３）。
【０００８】
ｎ＝１．５の屈折率を有するアクリレート中に、フィラーとしてルチルを２０体積％用いると、アクリレートの屈折率は、フィラーにより約１．７８に増加することができる。また、ｎ＝１．４３の屈折率を有するシリコンゴム中に、ルチルを２０体積％用いると、シリコンゴムの光学材料の屈折率は、約１．６８に増加することができる。このように、例えば周辺眼房における収容可能な移植眼内レンズの屈折率の効果的な差異を、２〜２．５の間まで増加させることができる。このように、厚さが低減され、収容可能性が改善された、収容可能な眼内レンズを製造することができる。
【０００９】
また、光学部品は、部品の様々な領域におけるフィラー含有量を異ならせて製造することができる。これにより、異なる屈折率を有する領域を備えた化学的に均一な部品が提供される。例としては、二焦点又は多焦点レンズがこの方法により製造することができる。異なる屈折率を有する領域間の推移においては、破断が生じることはない。特に二焦点又は多焦点レンズの場合の表面は、均一な形状、特に均一な曲率を備えることができる。
【００１０】
複屈折のフィラーが重合された場合、これらは、例え電場又は磁場中で配向させることができる。このように、異なる偏光のために異なる屈折率を有する光学部品を製造することができる。
【００１１】
本発明の光学部品は、医療用製品又は医療用製品の部品とすることができる。また、本発明の光学部品は、例えば視力補正用のメガネレンズやコンタクトレンズ、内視鏡光学システムの構成部品、又は眼内移植片、特に眼内レンズとすることもできる。
【００１２】
光学部品、特に眼内移植片の成形に、射出成形、切除工程等のような従来の工程を用いることもできる。
【００１３】
例えば射出成形による成形製造工程においては、フィラーによって、さらに改良された幾何学的精度が達成される。
【国際公開パンフレット】
2004530940.tif 000002
2004530940.tif 000003
2004530940.tif 000004
2004530940.tif 000005
2004530940.tif 000006
2004530940.tif 000007
2004530940.tif 000008
【国際公開パンフレット（コレクトバージョン）】
2004530940.tif 000009
【国際調査報告】
2004530940.tif 000010
2004530940.tif 000011
2004530940.tif 000012
2004530940.tif 000013